(57)【要約】【課題】ホストの電力消耗を減少させることができる表示装置とその駆動方法及びこれを含む映像表示システムを提供する。【解決手段】タッチパネル１１０から出力されるタッチ信号に対応するタッチイベント情報を出力するタッチ制御部１２０と、ホスト２００がスリップモードで動作する場合、表示パネル１５０で表示される映像にタッチイベント情報に対応する標識をオーバーラップし、オーバーラップした混合映像データを出力する映像処理部１３０と、混合映像データに対応する画素駆動信号を表示パネルに出力する表示駆動部１４０と、を含み、映像処理部１３０は、タッチパネル１１０に対するユーザーのタッチ入力が所定の条件を満たす場合、ホスト２００にウェークアップ信号を出力する。【選択図】図２
2015206999.tif 000002
【特許請求の範囲】
【請求項１】
タッチパネルから出力されるタッチ信号に対応するタッチイベント情報を出力するタッチ制御部と、
ホストがスリップモードで動作する場合、表示パネルで表示される映像に前記タッチイベント情報に対応する標識をオーバーラップし、オーバーラップした混合映像データを出力する映像処理部と、
前記混合映像データに対応する画素駆動信号を表示パネルに出力する表示駆動部と、を含み、
前記映像処理部は、前記タッチパネルに対するユーザーのタッチ入力が所定の条件を満たす場合、前記ホストにウェークアップ信号を出力することを特徴とする表示装置。
【請求項２】
前記映像処理部は、前記ホストがノーマルモードで動作する場合、前記ホストから出力される入力映像データを前記表示駆動部に出力することを特徴とする請求項１に記載の表示装置。
【請求項３】
前記映像処理部は、前記ホストがノーマルモードから前記スリップモードへ遷移する場合、前記ホストから出力される入力映像データを保存することを特徴とする請求項１または２に記載の表示装置。
【請求項４】
前記映像処理部は、前記ホストが前記スリップモードで動作する場合、保存された映像データを前記混合映像データに取り替えることを特徴とする請求項３に記載の表示装置。
【請求項５】
前記映像処理部は、前記タッチ入力が前記所定の条件を満たす場合、前記ホストに前記混合映像データを出力することを特徴とする請求項４に記載の表示装置。
【請求項６】
前記映像処理部は、前記ホストが前記スリップモードで動作する場合、周期的に前記混合映像データを前記ホストに出力することを特徴とする請求項１〜５のいずれか一項に記載の表示装置。
【請求項７】
前記映像処理部は、前記ホストが前記スリップモードからノーマルモードへ遷移する場合、前記混合映像データを前記ホストに出力することを特徴とする請求項１〜６のいずれか一項に記載の表示装置。
【請求項８】
前記映像処理部は、前記ホストがノーマルモードで動作する場合、前記ホストから出力される入力映像データを保存し、
前記ホストが前記スリップモードで動作する場合、前記混合映像データを保存し、保存した映像データを出力する映像保存部と、
前記保存した映像データに対応する映像に、前記タッチイベント情報に対応する前記標識をオーバーラップして前記混合映像データを生成する映像ミキサーと、
前記映像ミキサーから出力された前記混合映像データに基づいて、前記標識が所定のパターンに対応する場合、前記ウェークアップ信号を出力するウェークアップ制御部と、
を含むことを特徴とする請求項１〜７のいずれか一項に記載の表示装置 。
【請求項９】
前記映像保存部は、
前記モード制御信号に応じて前記入力映像データ及び前記混合映像データのうちいずれか一つを出力する第１マルチプレクサーと、
前記第１マルチプレクサーからの出力を前記保存された映像データとして保存するフレームバッファーと、
前記モード制御信号に応じて前記入力映像データ及び前記保存された映像データのうちいずれか一つを前記映像ミキサーに出力する第２マルチプレクサーと、
を含むことを特徴とする請求項８に記載の表示装置。
【請求項１０】
前記映像処理部は、
前記ホストがノーマルモードで動作する場合、前記ホストから出力される入力映像データを保存し、前記ホストが前記スリップモーで動作する場合、前記混合映像データを保存し、保存した映像データを出力する映像保存部と、
前記保存した映像データに対応する映像に、前記タッチイベント情報に対応する前記標識をオーバーラップして前記混合映像データを生成する映像ミキサーと、
前記タッチイベント情報に含まれた前記タッチ入力の座標が所定の領域の範囲内に含まれる場合、前記ウェークアップ信号を出力するウェークアップ制御部と、
を含むことを特徴とする請求項１に記載の表示装置。
【発明の詳細な説明】
【技術分野】
【０００１】
本発明は、表示装置とその駆動方法及びこれを含む映像表示システムに関する。
【背景技術】
【０００２】
情報化社会の発展に伴い、映像を表示するための表示装置に対する要求が多様な形態で増加しており、最近には液晶表示装置（ＬＣＤ：Ｌｉｑｕｉｄ  Ｃｒｙｓｔａｌ  Ｄｉｓｐｌａｙ）、プラズマ表示装置（ＰＤＰ：Ｐｌａｓｍａ  Ｄｉｓｐｌａｙ  Ｐａｎｅｌ）、有機発光ダイオード表示装置（ＯＬＥＤ：Ｏｒｇａｎｉｃ  Ｌｉｇｈｔ  Ｅｍｉｔｔｉｎｇ  Ｄｉｏｄｅ）のような表示装置が活用されている。これらの表示装置は、スマートフォン、タブレット、ノートブック、モニター、及びテレビなどに多様に具現されている。
【０００３】
映像表示システムは、上記のような表示装置とホストとを含むことができる。表示装置は、表示駆動部と表示パネルとを含む。表示駆動部は、ホストから入力映像データを受信して、入力映像データに基づいて表示パネルに画素駆動信号を供給する。表示パネルは、複数の画素を含み、各画素は表示駆動部から出力される画素駆動信号に応じて映像を表示する。
【０００４】
ホストは、表示装置に入力映像データを出力するなど、表示装置を制御する。ホストは、表示装置のみならず他の装置、例えば、センサーと通信装置等も制御する。このため、ホストは、映像表示システムにおいて最も電力消耗が大きい部分の一つであるといえる。
【先行技術文献】
【特許文献】
【０００５】
【特許文献１】韓国特許公開第２００６−０１３５６２８Ａ号公報
【特許文献２】韓国特許公開第２０１２−００８３７８８Ａ号公報
【発明の概要】
【発明が解決しようとする課題】
【０００６】
したがって、本発明は、上記の課題を解決するための案出されたもので、その目的は、ホストの電力消耗を減少させることができる表示装置とその駆動方法及びこれを含む映像表示システムを提供することである。
【課題を解決するための手段】
【０００７】
上記の目的を達成するための本発明の実施例に係る表示装置は、タッチパネルから出力されるタッチ信号に対応するタッチイベント情報を出力するタッチ制御部と、ホストがスリップ（ｓｌｅｅｐ）モードで動作する場合、表示パネルで表示される映像に前記タッチイベント情報に対応する標識をオーバーラップ（ｏｖｅｒｌａｐ）し、オーバーラップした混合映像データを出力する映像処理部と、前記混合映像データに対応する画素駆動信号を表示パネルに出力する表示駆動部と、を含み、前記映像処理部は、前記タッチパネルに対するユーザーのタッチ入力が所定の条件を満たす場合、前記ホストにウェークアップ（ｗａｋｅ−ｕｐ）信号を出力する。
【０００８】
また、前記映像処理部は、前記ホストがノーマルモードで動作する場合、前記ホストから出力される入力映像データを前記表示駆動部に出力することができる。
【０００９】
また、前記映像処理部は、前記ホストがノーマルモードから前記スリップモードへ遷移する場合、前記ホストから出力される入力映像データを保存することができる。
【００１０】
また、前記映像処理部は、前記ホストが前記スリップモードで動作する場合、保存された映像データを前記混合映像データに取り替えることができる。
【００１１】
また、前記映像処理部は、前記タッチ入力が前記所定の条件を満たす場合、前記ホストに前記混合映像データを出力することができる。
【００１２】
また、前記映像処理部は、前記ホストが前記スリップモードで動作する場合、周期的に前記混合映像データを前記ホストに出力することができる。
【００１３】
また、前記映像処理部は、前記ホストが前記スリップモードからノーマルモードへ遷移する場合、前記混合映像データを前記ホストに出力することができる。
【００１４】
また、前記映像処理部は、前記ホストがノーマルモードで動作する場合、前記ホストから出力される入力映像データを保存し、前記ホストが前記スリップモードで動作する場合、前記混合映像データを保存し、保存した映像データを出力する映像保存部と、前記保存した映像データに対応する映像に、前記タッチイベント情報に対応する前記標識をオーバーラップして前記混合映像データを生成する映像ミキサーと、前記映像ミキサーから出力された前記混合映像データに基づいて前記標識が所定のパターンに対応する場合、前記ウェークアップ信号を出力するウェークアップ制御部と、を含むことができる。
【００１５】
また、前記映像保存部は、前記モード制御信号に応じて前記入力映像データ及び前記混合映像データのうちいずれか一つを出力する第１マルチプレクサーと、前記第１マルチプレクサーからの出力を前記保存された映像データとして保存するフレームバッファーと、前記モード制御信号に応じて前記入力映像データ及び前記保存された映像データのうちいずれか一つを前記映像ミキサーに出力する第２マルチプレクサーと、を含むことができる。
【００１６】
前記映像処理部は、前記ホストがノーマルモードで動作する場合、前記ホストから出力される入力映像データを保存し、前記ホストが前記スリップモードで動作する場合、前記混合映像データを保存し、保存した映像データを出力する映像保存部と、前記保存した映像データに対応する映像に、前記タッチイベント情報に対応する前記標識をオーバーラップして前記混合映像データを生成する映像ミキサーと、前記タッチイベント情報に含まれた前記タッチ入力の座標が所定の領域の範囲内に含まれる場合、前記ウェークアップ信号を出力するウェークアップ制御部と、を含むことができる。
【発明の効果】
【００１７】
以上のように、本発明の実施例に係る表示装置とその駆動方法及びこれを含む映像表示システムによれば、ホストの電力消耗を減少させることができる。
【図面の簡単な説明】
【００１８】
【図１】本発明の実施例に係る映像表示システムを示すブロック図である。
【図２】図１に示された表示装置の一実施例を示すブロック図である。
【図３】図２に示された映像処理部の一実施例を示すブロック図である。
【図４】図３に示された映像保存部の一実施例を示すブロック図である。
【図５】図２に示された映像処理部の他の実施例を示すブロック図である。
【図６】図１に示された表示装置の他の実施例を示すブロック図である。
【図７】本発明の実施例による表示装置の駆動方法を説明するためのフローチャートである。
【発明を実施するための形態】
【００１９】
以下、添付した図面を参照して本発明の実施例をより詳細に説明する。図１は、本発明の実施例に係る映像表示システムを示すブロック図である。
【００２０】
図１に示すように、映像表示システム１０は、表示装置１００とホスト２００とを含む。表示装置１００は、映像を表示するための表示手段、例えば、表示パネル（図２の１５０）と、ユーザーのタッチ入力を感知するための入力手段、例えば、タッチパネル（図２の１１０）と、を含む。
【００２１】
表示装置１００は、ホスト２００がノーマルモードで動作する場合、ホスト２００から出力される入力映像データに対応する映像を表示する。また、表示装置１００は、ホスト２００がスリップモードで動作する場合、入力映像データに対応する映像に、ユーザーのタッチ入力に対応する標識をオーバーラップし、オーバーラップした映像を表示する。
【００２２】
本明細書において、「ノーマルモード」とは、ホスト２００が正常に動作するモードを意味し、「スリップモード」とは、ホスト２００が電力消耗を減少するために制限的に動作するモードを意味する。例えば、ホスト２００がスリップモードで動作する場合、映像表示システム１０の基本的な駆動のための簡単な機能のみが遂行される。具体的には、ホスト２００は、スリップモードで動作する場合、表示装置１００に入力映像データＤＡＴＡを出力しない。
【００２３】
表示装置１００は、ホスト２００から出力されるモード制御信号ＭＣＳによってホスト２００の状態を把握する。例えば、表示装置１００は、ホスト２００からモード制御信号ＭＣＳが受信されない場合、ホスト２００がノーマルモードで動作していると把握する。一方、表示装置１００は、ホスト２００からモード制御信号ＭＣＳが受信される場合、ホスト２００がスリップモードで動作していると把握する。
【００２４】
ここで、モード制御信号ＭＣＳは、互いに異なる論理値に対応する第１レベルまたは第２レベルを有することができる。モード制御信号ＭＣＳが出力されるか、または受信されるということは、モード制御信号ＭＣＳが第１レベルであることを意味する。一方、モード制御信号ＭＣＳが出力されないか、または受信されないということは、モード制御信号ＭＣＳが第２レベルであることを意味する。
【００２５】
表示装置１００は、ホスト２００がスリップモードで動作する場合、ユーザーのタッチ入力が所定の条件を満たすと、ホスト２００にウェークアップ信号（Ｗａｋｅ−ｕｐ  ｓｉｇｎａｌ；ＷＵ）を出力する。ここで、「所定の条件」とは、ユーザーのタッチ入力が所定のパターンに対応すること及び/またはユーザーのタッチ入力が所定の領域内に印加されることを意味する。この時、表示装置１００は、ウェークアップ信号ＷＵとともに現在表示されている映像に対応する混合映像データＭＤＡＴＡをホスト２００に出力することができる。
【００２６】
表示装置１００は、ホスト２００がスリップモードで動作する場合、周期的に混合映像データＭＤＡＴＡをホスト２００に出力することができる。また、表示装置１００は、ホスト２００がウェークアップ信号ＷＵと関係なくスリップモードからノーマルモードに遷移する場合でも、混合映像データＭＤＡＴＡをホスト２００に出力することができる。
【００２７】
ホスト２００は、ノーマルモードでは表示装置１００に入力映像データＤＡＴＡを出力する。ホスト２００は、ノーマルモードではモード制御信号ＭＣＳを出力しない。すなわち、ホスト２００は、ノーマルモードではモード制御信号ＭＣＳを第２レベルに維持する。
【００２８】
ホスト２００は、ノーマルモードで動作する必要性がない場合、ノーマルモードからスリップモードに遷移する。例えば、ホスト２００は、ドローイングプログラム（Ｄｒａｗｉｎｇ  Ｐｒｏｇｒａｍ）のような特定プログラムを実行する場合、ノーマルモードからスリップモードに遷移する。
【００２９】
ホスト２００は、スリップモードでは入力映像データＤＡＴＡを出力しない。ホスト２００は、スリップモードでは表示装置１００にモード制御信号ＭＣＳを出力する。すなわち、ホスト２００は、スリップモードではモード制御信号ＭＣＳを第１レベルに維持する。
【００３０】
ホスト２００は、表示装置１００から出力されたウェークアップ信号ＷＵに応答してスリップモードからノーマルモードに遷移する。
【００３１】
表示装置１００がウェークアップ信号ＷＵとともに混合映像データＭＤＡＴＡを出力する場合、ホスト２００は、スリップモードからノーマルモードに遷移すると同時に混合映像データＭＤＡＴＡを分析してユーザーのタッチ入力に対応する動作を遂行する。
【００３２】
表示装置１００が周期的に混合映像データＭＤＡＴＡを出力する場合、ホスト２００は、受信される混合映像データＭＤＡＴＡを一時保存し、ウェークアップ信号ＷＵに応答してスリップモードからノーマルモードに遷移すると同時に一時保存した混合映像データＭＤＡＴＡを分析してユーザーのタッチ入力に対応する動作を遂行する。
【００３３】
図２は、図１に示された表示装置の一実施例を示すブロック図である。図２に示すように、表示装置１００は、タッチパネル１１０、タッチ制御部１２０、映像処理部１３０、表示駆動部１４０、及び表示パネル１５０を含む。
【００３４】
タッチパネル１１０は、ユーザーのタッチ入力を感知して、ユーザーのタッチ入力に対応する電気信号、すなわち、タッチ信号ＴＳを出力する。タッチパネル１１０は、表示パネル１５０上に配列されるか、またはその機能が表示パネル１５０に含まれることができる。すなわち、図２において、タッチパネル１１０と表示パネル１５０とは別個の構成要素として図示されているが、本発明の技術的思想は、これに限定されず、タッチパネル１１０と表示パネル１５０とは、一つの構成要素により具現されることができる。
【００３５】
タッチ制御部１２０は、タッチパネル１１０から出力されたタッチ信号ＴＳを受信し、タッチ信号ＴＳに基づいてタッチイベント情報ＴＥを生成する。ここで、タッチイベント情報ＴＥは、ユーザーのタッチ入力の座標、圧力及び/または持続期間を含むことができる。タッチ制御部１２０は、タッチイベント情報ＴＥをホスト２００と映像処理部１３０とに出力する。
【００３６】
本発明の実施例によれば、ホスト２００がノーマルモードで動作する場合、ホスト２００によりタッチイベント情報ＴＥを直接処理する。一方、ホスト２００がスリップモードで動作する場合、映像処理部１３０によりタッチイベント情報ＴＥを処理する。
【００３７】
本発明の他の実施例によれば、ホスト２００がノーマルモードで動作する場合にも映像処理部１３０によりタッチイベント情報ＴＥを処理して、処理結果をホスト２００に出力することができる。
【００３８】
また、本発明の更なる他の実施例によれば、ホスト２００がノーマルモードで動作する場合、ホスト２００によりタッチイベント情報ＴＥを処理するが、数フレーム以内のタッチイベント情報ＴＥを遅滞なく処理できるように、映像処理部１３０により最近のタッチイベント情報ＴＥを処理することができる。
【００３９】
映像処理部１３０は、ホスト２００から入力映像データＤＡＴＡとモード制御信号ＭＣＳとを受信し、タッチ制御部１２０からタッチイベント情報ＴＥを受信する。
【００４０】
本発明の実施例によれば、映像処理部１３０は、ホスト２００がノーマルモードで動作する場合、すなわち、ホスト２００からモード制御信号ＭＣＳが受信されない場合、入力映像データＤＡＴＡをそのまま表示駆動部１４０に出力することができる。
【００４１】
本発明の他の実施例によれば、映像処理部１３０は、モード制御信号ＭＣＳが受信されない場合、入力映像データＤＡＴＡに対応する映像に、数フレーム以内のタッチイベント情報ＴＥに対応する標識をオーバーラップし、オーバーラップした混合映像データＭＤＡＴＡを表示駆動部１４０に出力することができる。この時、表示装置１００により最近のタッチ入力を直接処理するため、タッチ入力が遅滞なく表示パネル１５０で表示されることができる。
【００４２】
映像処理部１３０は、ホスト２００がスリップモードで動作する場合、すなわち、ホスト２００からモード制御信号ＭＣＳが受信される場合、入力映像データＤＡＴＡに対応する映像に、タッチイベント情報ＴＥに対応する標識をオーバーラップし、オーバーラップした映像に対応する混合映像データＭＤＡＴＡを表示駆動部１４０に出力する。
【００４３】
映像処理部１３０は、ホスト２００がノーマルモードからスリップモードへ遷移する場合、すなわち、モード制御信号ＭＣＳを受信し始める場合、ホスト２００から出力される入力映像データＤＡＴＡを、保存された映像データＳＤＡＴＡとして保存する。
【００４４】
映像処理部１３０は、ホスト２００がスリップモードで動作する場合、保存された映像データＳＤＡＴＡを混合映像データＭＤＡＴＡに代替する。これによって、保存された映像データＳＤＡＴＡには、ホスト２００がスリップモードで動作する場合におけるユーザーのタッチ入力についての情報が含まれる。
【００４５】
映像処理部１３０は、ホスト２００がスリップモードで動作する場合におけるユーザーのタッチ入力が所定の条件を満たすと、ホスト２００にウェークアップ信号ＷＵを出力する。
【００４６】
本発明の実施例によれば、映像処理部１３０は、混合映像データＭＤＡＴＡに基づいてユーザーのタッチ入力が所定の条件を満たすか否かを判断する。例えば、映像処理部１３０は、混合映像データＭＤＡＴＡからホスト２００がスリップモードで動作する場合におけるユーザーのタッチ入力による標識を抽出し、抽出した標識が所定のパターンに対応すると、ホスト２００にウェークアップ信号ＷＵを出力することができる。
【００４７】
本発明の他の実施例によれば、映像処理部１３０は、タッチイベント情報ＴＥに基づいてユーザーのタッチ入力が所定の条件を満たすか否かを判断する。例えば、映像処理部１３０は、タッチイベント情報ＴＥに含まれたタッチ入力の座標が所定の領域の範囲内に含まれると、ホスト２００にウェークアップ信号ＷＵを出力することができる。
【００４８】
映像処理部１３０は、ウェークアップ信号ＷＵとともに現在表示される映像に対応する混合映像データＭＤＡＴＡをホスト２００に出力することができる。
【００４９】
映像処理部１３０は、ホスト２００がスリップモードで動作する場合、周期的に混合映像データＭＤＡＴＡをホスト２００に出力することができる。また、映像処理部１３０は、ホスト２００がスリップモードからノーマルモードへ遷移する場合、すなわち、モード制御信号（ＭＣＳ）の受信が中断される場合、混合映像データＭＤＡＴＡをホスト２００に出力することができる。
【００５０】
表示駆動部１４０は、映像処理部１３０から混合映像データＭＤＡＴＡまたは入力映像データＤＡＴＡを受信し、受信したデータに対応する画素駆動信号ＰＤＳを表示パネル１５０に出力する。
【００５１】
表示駆動部１４０は、表示駆動部１４０内の他の構成要素を同期化するためのタイミング制御部（図示せず）、表示パネル１５０の画素にデータ信号を供給するためのデータ駆動部（図示せず）、及び表示パネル１５０の画素に走査信号を供給するための走査駆動部（図示せず）を含むことができる。
【００５２】
表示駆動部１４０は、一つの集積回路により具現されることができ、複数の直接回路より具現されることもできる。すなわち、上記タイミング制御部、データ駆動部及び走査駆動部は、それぞれ別個の集積回路により具現されることができ、上記タイミング制御部、データ駆動部及び走査駆動部のうち少なくとも二つが一つの集積回路により具現されることもできる。
【００５３】
図２において、タッチ制御部１２０、映像処理部１３０及び表示駆動部１４０は、それぞれ別個の構成要素のように図示されているが、本発明の技術的思想はこれに限定されず、タッチ制御部１２０、映像処理部１３０及び表示駆動部１４０は、一つの構成要素により具現されることもできる。すなわち、タッチ制御部１２０、映像処理部１３０及び表示駆動部１４０は、それぞれ別個の集積回路により具現されることができ、タッチ制御部１２０、映像処理部１３０及び表示駆動部１４０のうち少なくとも二つが一つの集積回路により具現されることもできる。
【００５４】
図３は、図２に示された映像処理部の一実施例を示すブロック図である。図３に示すように、映像処理部１３０は、映像保存部１３１、映像ミキサー１３２及びウェークアップ制御部１３３を含む。
【００５５】
映像保存部１３１は、ホスト２００がノーマルモードで動作する場合、ホスト２００から出力される入力映像データＤＡＴＡを、保存された映像データＳＤＡＴＡとして保存する。映像保存部１３１は、また、ホスト２００がスリップモードで動作する場合、映像ミキサー１３２から出力される混合映像データＭＤＡＴＡを、保存された映像データＳＤＡＴＡとして保存する。すなわち、映像保存部１３１は、ホスト２００がスリップモードで動作する場合、保存された映像データＳＤＡＴＡを、入力映像データＤＡＴＡから混合映像データＭＤＡＴＡに取り替える。
【００５６】
映像保存部１３１は、保存された映像データＳＤＡＴＡを映像ミキサー１３２に出力する。映像ミキサー１３２は、映像保存部１３１から保存された映像データＳＤＡＴＡを受信し、タッチ制御部１２０からタッチイベント情報ＴＥを受信する。
【００５７】
映像ミキサー１３２は、保存された映像データＳＤＡＴＡに対応する映像に、タッチイベント情報ＴＥに対応する標識をオーバーラップし、オーバーラップした映像に対応する混合映像データＭＤＡＴＡを生成する。例えば、映像ミキサー１３２は、保存された映像データＳＤＡＴＡのうち、タッチイベント情報ＴＥに含まれたタッチ入力の座標に対応する部分の値を所定の値に変更し、変更したデータを混合映像データＭＤＡＴＡとして生成することができる。
【００５８】
映像ミキサー１３２は、生成した混合映像データＭＤＡＴＡを映像保存部１３１とウェークアップ制御部１３３に出力する。
【００５９】
ウェークアップ制御部１３３は、映像ミキサー１３２から混合映像データＭＤＡＴＡを受信する。ウェークアップ制御部１３３は、混合映像データＭＤＡＴＡに基づいて、ホスト２００がスリップモードで動作する場合におけるユーザーのタッチ入力が所定の条件を満たすか否かを判断し、判断結果によってウェークアップ信号ＷＵをホスト２００に出力する。
【００６０】
ウェークアップ制御部１３３は、混合映像データＭＤＡＴＡからユーザーのタッチ入力に対応する標識を抽出し、抽出した標識が所定のパターンに対応する場合、ウェークアップ信号ＷＵをホスト２００に出力する。ウェークアップ制御部１３３は、ウェークアップ信号ＷＵとともに混合映像データＭＤＡＴＡを出力することができる。
【００６１】
図４は、図３に示された映像保存部の一実施例を示すブロック図である。図４に示すように、映像保存部１３１は、第１マルチプレクサー１３１１、フレームバッファー１３１２、及び第２マルチプレクサー１３１３を含む。
【００６２】
第１マルチプレクサー１３１１は、ホスト２００から入力映像データＤＡＴＡを受信し、映像ミキサー１３２から混合映像データＭＤＡＴＡを受信する。第１マルチプレクサー１３１１は、ホスト２００から出力されたモード制御信号ＭＣＳに応じて入力映像データＤＡＴＡと混合映像データＭＤＡＴＡとのうちいずれか一つをフレームバッファー１３１２に出力する。
【００６３】
例えば、第１マルチプレクサー１３１１は、ホスト２００からモード制御信号ＭＣＳが受信される場合、すなわち、モード制御信号ＭＣＳが第１レベルである場合、混合映像データＭＤＡＴＡをフレームバッファー１３１２に出力する。一方、第１マルチプレクサー１３１１は、ホスト２００からモード制御信号ＭＣＳが受信されない場合、すなわち、モード制御信号ＭＣＳが第２レベルである場合、入力映像データＤＡＴＡをフレームバッファー１３１２に出力する。
【００６４】
フレームバッファー１３１２は、第１マルチプレクサー１３１１から出力される映像データ、すなわち、入力映像データＤＡＴＡまたは混合映像データＭＤＡＴＡを、保存された映像データＳＤＡＴＡとして保存する。フレームバッファー１３１２は、保存された映像データＳＤＡＴＡを第２マルチプレクサー１３１３に出力する。
【００６５】
第２マルチプレクサー１３１３は、ホスト２００から入力映像データＤＡＴＡを受信し、フレームバッファー１３１２から保存された映像データＳＤＡＴＡを受信する。第２マルチプレクサー１３１３は、ホスト２００から出力されたモード制御信号ＭＣＳに応じて入力映像データＤＡＴＡと保存された映像データＳＤＡＴＡとのうちいずれか一つを映像ミキサー１３２に出力する。
【００６６】
例えば、第２マルチプレクサー１３１３は、ホスト２００からモード制御信号ＭＣＳが受信される場合、すなわち、モード制御信号ＭＣＳが第１レベルである場合、保存された映像データＳＤＡＴＡを映像ミキサー１３２に出力する。一方、第２マルチプレクサー１３１３は、ホスト２００からモード制御信号ＭＣＳが受信されない場合、すなわち、モード制御信号ＭＣＳが第２レベルである場合、入力映像データＤＡＴＡを映像ミキサー１３２に出力する。
【００６７】
図５は、図２に示された映像処理部の他の実施例を示すブロック図である。図５に示された映像処理部１３０’の構造、機能及び動作と図３に示された映像処理部１３０の構造、機能及び動作とは、ウェークアップ制御部１３３’がタッチ制御部１２０から出力されたタッチイベント情報ＴＥによってウェークアップ信号ＷＵを出力すること以外は、実質的に同一である。したがって、同一部分の説明については省略する。
【００６８】
図５に示すように、ウェークアップ制御部１３３’は、タッチ制御部１２０からタッチイベント情報ＴＥを受信する。ウェークアップ制御部１３３’は、タッチイベント情報ＴＥに基づいてウェークアップ信号ＷＵの出力可否を決定する。例えば、ウェークアップ制御部１３３’は、タッチイベント情報ＴＥに含まれたタッチ入力の座標が所定の領域の範囲内に含まれる場合、ウェークアップ信号ＷＵをホスト２００に出力する。ウェークアップ制御部１３３’は、ウェークアップ信号ＷＵとともに混合映像データＭＤＡＴＡをホスト２００に出力する。
【００６９】
図６は、図１に示された表示装置の他の実施例を示すブロック図である。図６に示された表示装置１００’の構造、機能及び動作と図２に示された表示装置１００の構造、機能及び動作とは、映像処理部１３０’の代わりにタッチ制御部１２０’がウェークアップ信号ＷＵを出力すること以外は、実質的に同一である。したがって、同一部分の説明については省略する。
【００７０】
図６に示すように、タッチ制御部１２０’は、タッチパネル１１０から出力されたタッチ信号ＴＳを受信し、タッチ信号ＴＳに基づいてタッチイベント情報ＴＥを生成する。また、タッチ制御部１２０’は、生成したタッチイベント情報ＴＥが所定の条件を満たす場合、ウェークアップ信号ＷＵをホスト２００と映像処理部１３０’に出力する。
【００７１】
例えば、タッチ制御部１２０’は、ホスト２００がスリップモードで動作する場合、ユーザーのタッチ入力が所定のパターンに対応すると、ウェークアップ信号ＷＵをホスト２００と映像処理部１３０'に出力する。このため、タッチ制御部１２０’は、ホスト２００がスリップモードで動作する場合におけるユーザーのタッチ入力の座標を保存するためのメモリー（図示せず）を具備することができる。
【００７２】
他の例として、タッチ制御部１２０’は、ユーザーのタッチ入力の座標が所定の領域の範囲内に含まれる場合、ウェークアップ信号ＷＵをホスト２００と映像処理部１３０’に出力する。映像処理部１３０’は、タッチ制御部１２０’から出力されたウェークアップ信号ＷＵに応答して、現在表示パネル１５０に表示される映像に対応する混合映像データＭＤＡＴＡをホスト２００に出力する。
【００７３】
図７は、本発明の実施例に係る表示装置の駆動方法を説明するためのフローチャートである。
【００７４】
図７に示すように、表示装置１００は、ホスト２００がノーマルモードで動作する場合、ホスト２００から出力される入力映像データＤＡＴＡを表示する（Ｓ１００）。
【００７５】
表示装置１００は、ホスト２００からモード制御信号ＭＣＳを受信したか否かを判断する（Ｓ１１０）。表示装置１００は、ホスト２００からモード制御信号ＭＣＳを受信していない場合（Ｓ１１０：「いいえ」）、ホスト２００からモード制御信号ＭＣＳを受信するまで、ホスト２００から出力される入力映像データＤＡＴＡを表示する。
【００７６】
一方、表示装置１００は、ホスト２００からモード制御信号ＭＣＳを受信すれば（Ｓ１１０：「はい」）、ホスト２００から出力される最近の入力映像データＤＡＴＡを、保存された映像データＳＤＡＴＡとして保存する（Ｓ１２０）。
【００７７】
本実施例によれば、表示装置１００は、ホスト２００から出力される入力映像データＤＡＴＡを継続的にアップデートして保存することができる。また、他の実施例によれば、表示装置１００は、モード制御信号ＭＣＳを受信し始める時、ホスト２００から出力される入力映像データＤＡＴＡを保存することができる。
【００７８】
表示装置１００は、保存された映像データＳＤＡＴＡに対応する映像にタッチ入力に対応する標識をオーバーラップし、オーバーラップした映像に対応する混合映像データＭＤＡＴＡを生成する（Ｓ１３０）。
【００７９】
表示装置１００は、混合映像データＭＤＡＴＡを表示し、保存された映像データＳＤＡＴＡを混合映像データＭＤＡＴＡに取り替える（Ｓ１４０）。
【００８０】
表示装置１００は、混合映像データＭＤＡＴＡ及び/またはタッチイベント情報ＴＥに基づいてユーザーのタッチ入力が所定の条件を満たすか否かを判断する（Ｓ１５０）。
【００８１】
ユーザーのタッチ入力が所定の条件を満たさない場合（Ｓ１５０：「いいえ」）、表示装置１００は、ユーザーのタッチ入力が所定の条件を満たすまでＳ１３０ないしＳ１４０の動作を繰り返す。
【００８２】
ユーザーのタッチ入力が所定の条件を満たす場合（Ｓ１５０：「はい」）、表示装置１００は、ホスト２００にウェークアップ信号ＷＵを出力する。この時、表示装置１００は、ホスト２００に現在表示されている映像に対応する混合映像データＭＤＡＴＡをホスト２００に出力することができる（Ｓ１６０）。
【００８３】
以上のように、本発明では具体的な構成要素などのような特定事項と限定された実施例及び図面によって説明されたが、これは本発明のより全般的な理解のために提供されたものであるだけで、本発明は上記実施例に限定されるものではなく、本発明の属する分野における通常の知識を有する者であれば、上記の記載より多様な修正及び変形が可能である。したがって、本発明の思想は、説明された実施例に限って決まってはならず、後述する特許請求の範囲のみならず、特許請求の範囲と均等または等価的変形のあるすべてのものは、本発明の思想の範疇に属するといえる。
【符号の説明】
【００８４】
１０  映像表示システム、
１００、１００’  表示装置、
１１０  タッチパネル、
１２０、１２０’  タッチ制御部、
１３０、１３０’  映像処理部、
１３１  映像保存部、
１３１１  第１マルチプレクサー、
１３１２  フレームバッファー、
１３１３  第２マルチプレクサー、
１３２  映像ミキサー、
１３３、１３３’  ウェークアップ制御部、
１４０  表示駆動部、
１５０  表示パネル、
２００  ホスト。
【図１】
2015206999.tif 000003
【図２】
2015206999.tif 000004
【図３】
2015206999.tif 000005
【図４】
2015206999.tif 000006
【図５】
2015206999.tif 000007
【図６】
2015206999.tif 000008
【図７】
2015206999.tif 000009